【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
収差を補正手段で補正した被検眼からの戻り光を得るための光源を少なくとも含む複数の光源と、
両眼の一方の眼の撮像を終了して前記両眼の他方の眼を撮像する場合に、前記複数の光源からの測定光を予め定められた順番で前記被検眼に入射させる制御をする制御手段と、を備えることを特徴とする眼科装置。
【請求項２】
前記一方の眼を撮像するために測定された収差の値を記憶する記憶手段を更に備え、
前記制御手段は、前記他方の眼を撮像する場合に、前記記憶された前記一方の眼の収差の値に近づくように前記補正手段を制御することを特徴とする請求項１に記載の眼科装置。
【請求項３】
前記被検眼の視線の向きを誘導する固視灯を更に備え、
前記記憶手段は、前記固視灯の点灯位置に関連付けて前記収差の値を記憶し、
前記制御手段は、前記他方の眼を撮像する場合に対応する前記固視灯位置に関連づけられた収差に近づくように前記補正手段を制御することを特徴とする請求項２に記載の眼科装置。
【請求項４】
前記複数の光源は第１の光源及び第２の光源及び第３の光源であり、
前記第１の光源から射出された第１の測定光で被検眼を照明する第１の照明光学系と、
前記第１の測定光の前記被検眼からの戻り光を用いて前記被検眼における収差を測定する測定光学系と、
前記測定光学系により測定された収差を用いて、前記被検眼からの戻り光の収差を補正する補正手段と、
前記第２の光源から射出された第２の測定光を前記被検眼に対して走査することで前記被検眼を照明する第２の照明光学系と、
前記第２の測定光の前記被検眼からの戻り光を前記補正手段で補正して撮像する第１の撮像光学系と、
前記第３の光源から射出された第３の測定光を前記被検眼に対して走査することで前記被検眼を照明する第３の照明光学系と、を更に備え
前記制御手段は、前記第３の光源からの前記第３の測定光、前記第１の光源からの前記第１の測定光、前記第２の光源からの前記第２の測定光の順に前記被検眼に入射させることを特徴とする請求項１乃至３のいずれか一項に記載の眼科装置。
【請求項５】
前記第１の照明光学系に配置された第１のシャッターと、
前記第２の照明光学系に配置された第２のシャッターと、
前記第３の照明光学系に配置された第３のシャッターと、を更に備え、
前記制御手段は、前記第３のシャッター、前記第１のシャッター，前記第２のシャッターの順にシャッターを開けることを特徴とする請求項１乃至４のいずれか一項に記載の眼科装置。
【請求項６】
前記第１の測定光および前記第２の測定光の前記被検眼への入射状態を示す表示形態を表示部に表示させる表示制御手段を更に備えたことを特徴とする請求項４に記載の眼科装置。
【請求項７】
前記表示制御手段は、前記シャッターの開閉状態を示す表示形態を前記表示部に表示させることを特徴とする請求項５記載の眼科装置
【請求項８】
前記制御手段は前記一方の眼の撮像から前記他方の眼の撮像へ変更する際に全シャッターを閉じた状態にすることを特徴とする請求項６記載の眼科装置。
【請求項９】
測定光学系により測定された収差を用いて被検眼である両眼の一方の眼からの戻り光の収差を補正する補正手段と、
前記収差を記憶する記憶手段と、
前記両眼の他方の眼を撮像する場合に、前記記憶された収差に基づいて前記補正手段の制御をする制御手段と、を備えることを特徴とする眼科装置。
【請求項１０】
測定光学系により測定された収差を用いて被検眼である両眼の一方の眼からの戻り光の収差を補正手段が補正する補正工程と、
前記収差を記憶する記憶工程と、
前記両眼の他方の眼を撮像する場合に、前記記憶された収差に基づいて前記補正手段の制御をする制御工程と、を備えることを特徴とする眼科撮像方法。
【手続補正２】
【補正対象書類名】明細書
【補正対象項目名】０００６
【補正方法】変更
【補正の内容】
【０００６】
本眼科装置は、収差を補正手段で補正した被検眼からの戻り光を得るための光源を少なくとも含む複数の光源と、両眼の一方の眼の撮像を終了して前記両眼の他方の眼を撮像する場合に、前記複数の光源からの測定光を予め定められた順番で前記被検眼に入射させる制御をする制御手段と、を備える。
【手続補正３】
【補正対象書類名】明細書
【補正対象項目名】０００７
【補正方法】変更
【補正の内容】
【０００７】
本発明によれば、両眼を撮像する場合に、撮像操作の効率を上げることが可能になる。
【手続補正４】
【補正対象書類名】明細書
【補正対象項目名】００２６
【補正方法】変更
【補正の内容】
【００２６】
ＡＯＳＬＯ部は、光源２０１−１、シングルモードファイバー２３０−１、２３０−３、２３０−４、光ファイバー２３０−２、光カプラー２３１、偏光コントローラ２５３−２、２５３−２４およびシャッター２９１−１を備える。ここで、シャッター２９１−２は、第２の光源と前記被検眼とを結ぶ光路に配置された、前記被検眼への前記第２の測定光の入射を制限する第２の制限手段の一例に相当する。さらに、ＡＯＳＬＯ部は、レンズ２３５−１、２３５−５、２３５−６、２３５−７、２３５−８、２３５−９、２３５−１０、ビームスプリッタ２５８−１、空間光変調器２５９、ＸＹスキャナ２１９−１を備える。また、ＡＯＳＬＯ部は、ダイクロイックミラー２７０−１、電動ステージ２１７−１、光量測定装置２６４およびディテクター２３８−１を備える。
【手続補正５】
【補正対象書類名】明細書
【補正対象項目名】００２７
【補正方法】変更
【補正の内容】
【００２７】
ビーコン部は、光源２０１−３、レンズ２３５−５、２３５−６、２３５−７、２３５−８、２３５−９、２３５−１０、２３５−１５、２３５−１６、ＸＹスキャナ２１９−１、空間光変調器２５９、ピンホール２９８を備える。さらに、ビーコン部は、シャッター２９１−３、ダイクロイックミラー２７０−１、２７０−２、電動ステージ２１７−１、２１７−３、ビームスプリッタ２５８−１および波面センサ２５５を備える。ここで、シャッター２９１−３は、前記第１の光源と前記被検眼とを結ぶ光路に配置された、前記被検眼への前記第１の測定光の入射を制限する第１の制限手段の一例に相当する。
【手続補正６】
【補正対象書類名】明細書
【補正対象項目名】００３６
【補正方法】変更
【補正の内容】
【００３６】
光カプラー２３１によって分割された参照光２０５は、光の偏光を制御する偏光コントローラ２５３−２を備える光ファイバー２３０−２を介して、光量測定装置２６４に入射される。光量測定装置２６４は参照光２０５の光量を測定し、測定光２０６−１の光量をモニターする用途に用いられる。例えば、光量測定装置２６４の測定値が所定の閾値を超えた場合、制御ＰＣ１０６は安全な光量を超えたと判断して光源２０１−１から射出される光の被検眼への入射を制限する。
【手続補正７】
【補正対象書類名】明細書
【補正対象項目名】００３８
【補正方法】変更
【補正の内容】
【００３８】
光カプラー２３１によって分割された測定光２０６−１は、光の偏光を制御する偏光コントローラ２５３−４を備えるシングルモードファイバー２３０−４を介してレンズ２３５−１に導かれる。そして、レンズ２３５−１によって測定光２０６−１は例えばビーム径４ｍｍの平行光になる。なお、ビーム径の値は例示であり、この値に限定されるものではない。その後、測定光２０６−１はシャッター２９１−１を介してビームスプリッタ２５８−１に到達する。シャッター２９１−１は、光源２０１−１から射出された光を被検眼２０７に入射させるか否かを制御することができる。
【手続補正８】
【補正対象書類名】明細書
【補正対象項目名】００５３
【補正方法】変更
【補正の内容】
【００５３】
＜ＷＦＳＬＯ部＞
次に、ＷＦＳＬＯ部について説明する。ＷＦＳＬＯ部はＷＦＳＬＯ像を取得する。なお、ＷＦＳＬＯ部は基本的にＡＯＳＬＯ部と同様の構成となっているため、重複する部分については簡単のため説明を省略する。
【手続補正９】
【補正対象書類名】明細書
【補正対象項目名】００５８
【補正方法】変更
【補正の内容】
【００５８】
また、ダイクロイックミラー２７０−３は、光源２０１−２から被検眼へ向かう光、光源２０１−２から射出されて被検眼から戻ってくる光を透過する。一方、固視灯２５６から被検眼へ向かう光および固視灯２５６から射出されて被検眼から戻ってくる光を反射する。すなわち、ダイクロイックミラー２７０−３は波長７００ｎｍ以上の光を透過し、他の波長の光を反射する特性を有する。このダイクロイックミラー２７０−３により、固視灯２５６から射出される光と光源２０１−２から射出される光とを分離することが可能となる。
【手続補正１０】
【補正対象書類名】明細書
【補正対象項目名】００８０
【補正方法】変更
【補正の内容】
【００８０】
また、シャッター２９１−１〜３の開閉状態は、後述する表示制御手段１１２によって制御ソフト画面（図７）のシャッター状態表示領域５０９に表示される。シャッターの開閉状態を表示することにより、検者は、測定光２０６−１〜３のいずれが、被検眼２０７に照射されているかを明確かつ容易に知ることができる。これにより撮像操作の確実性が向上する。
【手続補正１１】
【補正対象書類名】明細書
【補正対象項目名】００９２
【補正方法】変更
【補正の内容】
【００９２】
制御ＰＣ１０６はＣＰＵ等の処理部がメモリ等の記憶手段としての記憶装置８００（不図示）に格納された所定のプログラムを実行することで、ソフト制御手段１１０、画像生成手段１１１、表示制御手段１１２、収差決定手段１１３および駆動・制御手段１１４として機能する。
【手続補正１２】
【補正対象書類名】明細書
【補正対象項目名】００９３
【補正方法】変更
【補正の内容】
【００９３】
ソフト制御手段１１０は、測定用の制御ソフトおよびビューワーソフトの起動および停止を制御する。例えば、ソフト制御手段１１０は、ＡＯＳＬＯ装置１０１の電源が投入された場合または制御用ソフトの実行ファイルが検査者により指定された場合に測定用の制御ソフトを起動する。また、ソフト制御手段１１０はビューワーソフトの実行ファイルが検査者により指定された場合にビューワーソフトを起動する。さらに、検査者によりソフトの終了の指示があった場合、ソフト制御手段１１０は測定用の制御ソフトおよびビューワーソフトを停止させる。なお、制御ソフトおよびビューワーソフトは制御ＰＣ１０６が備えるメモリ等の記憶装置８００に記憶されていてもよいし、制御ＰＣ１０６と無線または有線を介して通信可能な外部の記憶装置８００に記憶されていてもよい。
【手続補正１３】
【補正対象書類名】明細書
【補正対象項目名】０１１３
【補正方法】変更
【補正の内容】
【０１１３】
ＳＴＯＰボタン５０２が選択された場合、ソフト制御手段１１０は制御ソフトを停止させる。
【手続補正１４】
【補正対象書類名】明細書
【補正対象項目名】０１２１
【補正方法】変更
【補正の内容】
【０１２１】
収差表示領域５１１には、収差決定手段１１３が決定（算出）した収差が時系列のグラフとして表示制御手段１１２によって表示される。ここで、特に、ＡＯＳＬＯ測定ボタン５０７が選択された場合の収差の値は記憶手段８００に記憶される。また、後述の固視灯位置表示領域５１３には固視の座標位置が関連付けてられている。記憶装置８００には、ＡＯＳＬＯ測定ボタン５０７が選択された場合、即ち撮影時の固視灯の表示位置と収差決定手段１１３が算出した収差と、撮影した眼（左眼であるか右眼であるか）と関連付けて記憶する。
【手続補正１５】
【補正対象書類名】明細書
【補正対象項目名】０１２７
【補正方法】変更
【補正の内容】
【０１２７】
ＷＦＳＬＯ記録ボタン５１７が選択された場合、駆動・制御手段１１４は、ＷＦＳＬＯ像を例えばＨＤＤ（Ｈａｒｄ  Ｄｉｓｋ  Ｄｒｉｖｅ）等の図示しない記憶装置８００に記録する。
【手続補正１６】
【補正対象書類名】明細書
【補正対象項目名】０１３０
【補正方法】変更
【補正の内容】
【０１３０】
ＡＯＳＬＯ記録ボタン５２０が選択された場合、駆動・制御手段１１４は、ＡＯＳＬＯ像を例えばＨＤＤ等の図示しない記憶装置８００に記録する。
【手続補正１７】
【補正対象書類名】明細書
【補正対象項目名】０１３３
【補正方法】変更
【補正の内容】
【０１３３】
この場合、現在撮像している眼（例えば左眼）と異なる眼（例えば右眼）に記憶される、固視灯の位置と関連付けられた収差が記憶装置８００に記憶されている場合には、対応する収差の値に近づくように調整される。これにより、左右眼の対応する撮影位置のＡＯＳＬＯ画像を同じ収差で比較することができるので、診断の対比が容易となる。なお、左右眼での固視灯の対応位置は、固視灯の表示領域上で左右反転した位置となる。
【手続補正１８】
【補正対象書類名】明細書
【補正対象項目名】０１３９
【補正方法】変更
【補正の内容】
【０１３９】
［ステップＳ２２］
続いて、駆動・制御手段１１４は、閉じていたＷＦＳＬＯ用のシャッター２９１−２を開く。シャッター状態表示領域５０９には、ＷＦＳＬＯ用のシャッター２９１−２が開いている状態を示す表示が行われる。また、シャッター状態表示領域５０９にはシャッター２９１−１、２９１−３が閉じていることを示す表示が行われる。
【手続補正１９】
【補正対象書類名】明細書
【補正対象項目名】０１５２
【補正方法】変更
【補正の内容】
【０１５２】
次に収差補正ボタン５２２を押すと、駆動・制御手段１１４は記憶装置８００に記憶する他眼の対応する収差との差が小さくなる方向に自動的に空間光変調器２５９を調整する。なお、表示制御手段１１２は、リアルタイムに収差量の値を液晶モニター１０５に表示させる。ここで、駆動・制御手段１１４によって収差量の差と事前に決めておいた閾値との比較が行われる。収差量の差が事前に決めておいた閾値以下になると駆動・制御手段１１４によって自動的にＡＯＳＬＯ測定ボタン５０７が押され、次の工程に移動する。ここで、対応する収差の値が記憶装置８００に記憶されていない場合には、収差量が事前に決めておいた閾値（例えば０．０３μｍＲＭＳ）以下になると駆動・制御手段１１４によって自動的にＡＯＳＬＯ測定ボタン５０７が押される。そして、そのときの収差量が固視灯の位置及び撮影眼のカテゴリと関連付けられて記憶装置８００に記憶される。